(57)【特許請求の範囲】
【請求項１】
液体注出ノズルによって飲料等の液体をカップに供給して販売するカップ式自動販売機において、
前記液体注出ノズルの下方に配設した後垂れ受けの下部を前記カップの外方に向けて下向きに傾斜させた曲面とし、液体注出動作の終了後に生じた後垂れ液を当該曲面に沿わせて流下させて前記カップの外に滴下させるようにしたことを特徴とするカップ式自動販売機。
【発明の詳細な説明】
【技術分野】
【０００１】
本発明は、機内で調理した飲料や希釈水等の液体をカップに注出する液体注出ノズルを備えたカップ式自動販売機に関する。
【背景技術】
【０００２】
従来からカップ式自動販売機では、カップを載置するベンドステージにコーヒー飲料、シロップ、シロップ希釈用冷水、炭酸水等を注出する液体注出ノズルの吐出口をカップの内方に向けて前傾姿勢に配置している。
【０００３】
係る構成で、コーヒー飲料はコーヒーブリュアで抽出したコーヒー液とキャニスタから供給した砂糖およびクリームをミキシングボウルで攪拌混合して液体注出ノズルからカップに注出する。一方、シロップ飲料は、シロップ、冷水または炭酸水および氷をカップに供給し、カップ内でこれらを攪拌混合して飲料としている。
【０００４】
このように、ベンドステージに載置したカップには、コーヒー液と砂糖、クリームを攪拌混合したコーヒー飲料、シロップ、冷水、炭酸水等が液体注出ノズルから注出され、カップ式自動販売機の利用者に提供される（例えば、特許文献１、２参照。）。
【先行技術文献】
【特許文献】
【０００５】
【特許文献１】特開２００１−１１８１４０号公報
【特許文献２】特開２００７−１４１１４７号公報
【発明の概要】
【発明が解決しようとする課題】
【０００６】
しかしながら、ベンドステージに載置したカップにコーヒー飲料、シロップ、冷水、炭酸水等を液体注出ノズルからカップに注出した後には飲料の表面張力により吐出口外形下端にこれら飲料が維持され、これが後垂れ液として滴下してカップの縁を汚したり、次に販売する飲料に混入したり、さらには、吐出口外形下端にこれら飲料が固着する虞がある。
【０００７】
このように飲料注出動作の終了後の後垂れ液がカップの縁に滴下すると見た目が悪くなるとともに、後垂れ液がカップ外側面に流れると、利用者が当該カップを取り出すときに手に付着するなどの不都合が生じる。また、次に販売する飲料に混入すると味に変化を生じさせることとなる。
【０００８】
このようなことを防ぐために、液体注出ノズルの吐出口下部に液体ガイドを設け、飲料注出動作後の後垂れ液を液体ガイドの底面に沿わせて流下させてカップの外に滴下させるようにした提案がなされている。
【０００９】
しかしながら、このように液体注出ノズルの吐出口下部に液体ガイドを設けると、飲料注出時の飲料の本流および飲料注出終了直前の飲料の弱流が液体ガイドに導かれてカップの外に流下する、また、液体ガイドに導かれて流下する途中で滴下して前述した不具合を生じる虞がある。
【００１０】
本発明は、以上のような課題を解決するためになされたものであり、飲料注出時にはカップ内に飲料を注出し、飲料注出動作の終了後には後垂れ液でカップの縁を汚すことのないカップ式自動販売機を提供することを目的とする。
【課題を解決するための手段】
【００１１】
上記の目的を達成するために、請求項１に係る発明は、液体注出ノズルによって飲料等の液体をカップに供給して販売するカップ式自動販売機において、
前記液体注出ノズルの下方に配設した後垂れ受けの下部を前記カップの外方に向けて下向きに傾斜させた曲面とし、液体注出動作の終了後に生じた後垂れ液を当該曲面に沿わせて流下させて前記カップの外に滴下させるようにしたことを特徴とする。
【発明の効果】
【００１２】
請求項１の発明によれば、液体注出ノズルによって飲料等の液体をカップに供給して販売するカップ式自動販売機において、液体注出ノズルの下方に配設した後垂れ受けの下部をカップの外方に向けて下向きに傾斜させた曲面とし、液体注出動作の終了後に生じた後垂れ液を当該曲面に沿わせて流下させてカップの外に滴下させるようにしたので、液体注出ノズルからの後垂れ液が後垂れ受けの端面付近に接触しても液体の表面張力により曲面に沿って流下することにより、カップ内に滴下することなく、カップの外へ導いて滴下させ、飲料注出動作の終了後に後垂れ液でカップの縁を汚すことのないカップ式自動販売機を提供することが可能となる。
【図面の簡単な説明】
【００１３】
【図１】本発明の実施形態に係るカップ式自動販売機の水回路図である。
【図２】本発明の実施形態に係るカップ式自動販売機および液体注出ノズルの断面側面図である。
【図３】図２に示した液体注出ノズルからの飲料の注出状態を示す断面側面図である。
【図４】図２に示した液体注出ノズルからの後垂れ液を示す断面側面図である。
【図５】図２に示した液体注出ノズルから後垂れ受けに流下する後垂れ液を示す断面側面図である。
【発明を実施するための形態】
【００１４】
以下、図面を参照しながら、本発明の好ましい実施形態を詳細に説明する。なお、この実施形態によりこの発明が限定されるものではない。
【００１５】
図１は、液体注出ノズルを備えたカップ式自動販売機の水回路図を示している。カップ式自動販売機１には、弁を開閉して水道から供給される飲用水の給水・停止を行う水入口電磁弁１１、水入口電磁弁１１が開いて供給された飲用水を貯留するリザーバタンク１２、リザーバタンク１２に貯留している飲用水を各機器に圧送する給水ポンプ１３、温水タンク２０に飲用水を圧送するときに弁を開く飲用水電磁弁１４、アイス飲料用の飲用水、炭酸水やシロップを冷却する冷却水槽１５、炭酸ガスを貯蔵する炭酸ガスボンベ１６、シロップを貯蔵するシロップタンク１７、炭酸水を製造して貯留するカーボネータ１８、リザーバタンク１２から供給される飲用水で氷片を製造するオーガ式製氷機１９、給水ポンプ１３を運転して飲用水電磁弁１４を開いてリザーバタンク１２から圧送された飲用水を９５℃〜９７℃に加熱した温水を貯留する温水タンク２０、キャニスタ２２から供給されるコーヒー豆をミル２３で挽いた挽き豆に温水供給電磁弁２１を開いて温水タンク２０から供給される温水を注いでコーヒー液を抽出するコーヒーブリュア２４、コーヒーブリュア２４で抽出したコーヒー液にキャニスタ２５から供給される砂糖、クリームを攪拌混合してコーヒー飲料とするミキシングボウル２６、ベンドステージ２８に載置したカップＣにコーヒー飲料、シロップ、冷水、炭酸水を注出する液体注出ノズル３０を備えている。
【００１６】
図２は、液体注出ノズル３０を備えたカップ式自動販売機１の内部構造を断面側面図を用いて模式的に示している。カップ式自動販売機１は、カップ供給装置（図示せず）から供給されたカップＣを載置するベンドステージ２８を備え、その上方には機内で調理したコーヒー飲料やシロップを希釈する冷水、炭酸水等の液体をカップＣの内方に向けて前傾姿勢に配置した吐出口３２から注出する液体注出ノズル３０がノズル取付部３７および取付金具３８で機内ベース金具３９に取り付けられている。また、液体注出ノズル３０下方で、カップＣの上方となる位置には後垂れ受け４０が配設されている。
【００１７】
液体注出ノズル３０は、ミキシングボウル２６等に連通されている液体チューブ（図示せず）が一端に接続されるパイプ状のノズル３１の他端を略垂直にカットした吐出口３２下端に液誘引部３３を設け、吐出口３２外形と隙間３４を設けてカップＣの外方に向けて下向きに傾斜させた底面３５を有する液体ガイド３６を設けている。液誘引部３３は、飲料注出動作終了後の飲料の表面張力を弱めて吐出口３２に飲料が維持されることを防ぐために設けられている。
【００１８】
後垂れ受け４０は、その下部を端面４１からカップＣの外方に向けて下向きに傾斜させた曲面４２を有している。
【００１９】
このように、カップＣの内方に向けて前傾姿勢に配置した吐出口３２から飲料等の液体を注出する液体注出ノズル３０に、カップＣの外方に向けて下向きに傾斜させた底面３５を有する液体ガイド３６を吐出口３２下部に設け、液体ガイド３６は吐出口３２外形と隙間３４を設けて配設し、液体（飲料）注出動作の終了後に生じた後垂れ液のみを液体ガイド３６の底面３５に沿わせて流下させてカップＣの外に滴下させるようにしたので、図３に示すように、飲料注出時の飲料の本流および飲料注出終了直前の飲料の弱流が液体ガイド３６に導かれることを防いでカップＣに注出することができる。また、図４に示すように、液体ガイド３６は飲料注出動作終了後の後垂れ液のみをカップＣの外へ導いて滴下させることができるので、飲料注出時にはカップＣ内に飲料を注出し、飲料注出動作の終了後に後垂れ液でカップＣの縁を汚すことのない液体注出ノズル３０を提供することができる。
【００２０】
さらに、液体注出ノズル３０によって飲料等の液体をカップＣに供給して販売するカップ式自動販売機１において、液体注出ノズル３０の下方に配設した後垂れ受け４０の下部をカップＣの外方に向けて下向きに傾斜させた曲面４２とし、液体（飲料）注出動作の終了後に生じた後垂れ液を曲面４２に沿わせて流下させてカップＣの外に滴下させるようにしたので、図５に示すように、液体注出ノズル３０からの後垂れ液が後垂れ受け４０の端面４１付近に接触しても液体（飲料）の表面張力により曲面４２に沿って流下することにより、カップＣ内に滴下することなく、カップＣの外へ導いて滴下させ、飲料注出動作の終了後に後垂れ液でカップＣの縁を汚すことのない液体注出ノズル３０を備えたカップ式自動販売機１を提供することができる。
【符号の説明】
【００２１】
１      カップ式自動販売機
１２      リザーバタンク
１７      シロップタンク
１８      カーボネータ
２０      温水タンク
２４      コーヒーブリュア
２６      ミキシングボウル
２８      ベンドステージ
３０      液体注出ノズル
３１      ノズル
３２      吐出口
３３      液誘引部
３４      隙間
３５      底面
３６      液体ガイド
４０      後垂れ受け
４１      端面
４２      曲面
Ｃ      カップ
【図１】
0005534068.tif 000002
【図２】
0005534068.tif 000003
【図３】
0005534068.tif 000004
【図４】
0005534068.tif 000005
【図５】
0005534068.tif 000006